(57)【特許請求の範囲】
【請求項１】
杭の打設時の杭打ち機と前記杭の接触による騒音を防止するための杭打ち機用防音装置であって、
前記杭打ち機と前記杭が接触する部分を筒状に覆う筒状カバーと、
前記筒状カバーと前記杭との間の隙間を塞ぐように前記筒状カバーの内部に設けられ、前記筒状カバーの下部開口からの音漏れを防止する吸音材からなる傘状の下面カバーとを備え、
前記筒状カバーと前記下面カバーは分離した状態で前記杭打ち機と前記杭が接触する部分に設置可能であり、前記下面カバーは前記筒状カバーの内面に当接配置されることを特徴とする杭打ち機用防音装置。
【請求項２】
前記下面カバーは扇状のカバー要素を組み合わせて構成されることを特徴とする請求項１に記載の杭打ち機用防音装置。
【請求項３】
前記下面カバーの中央部と外縁部に放射線状に延びる切れ目が形成されており、前記下面カバーの中央部の切れ目を起伏して形成される舌状片は前記杭の外面に当接配置され、前記下面カバーの外縁部の切れ目を起伏して形成される舌状片は前記筒状カバーの内面に当接配置されることを特徴とする請求項１または２に記載の杭打ち機用防音装置。
【請求項４】
前記舌状片は、可撓性を有することを特徴とする請求項３に記載の杭打ち機用防音装置。
【請求項５】
前記下面カバーは、段ボールからなることを特徴とする請求項１〜４のいずれか一つに記載の杭打ち機用防音装置。
【発明の詳細な説明】
【技術分野】
【０００１】
本発明は、鋼管杭などの杭を杭打ち機で打設する際に発生する騒音を防止するための杭打ち機用防音装置に関するものである。
【背景技術】
【０００２】
鋼管杭などの杭打設時には、ハンマーなどの杭打ち機と杭の接触に伴って大きな騒音が発生する。こうした騒音については、例えば、図４に示すように、杭打ち機１のハンマー部２と杭３の上端４の外周に防音用の筒状の鋼製カバー５を設置する等の防音対策が広く実施されている。しかしながら、このような対策では、鋼製カバー５の筒の下部開口６の隙間から騒音が外部に漏れることがあり、騒音低減効果は必ずしも十分とはいえなかった。
【０００３】
これに対し、鋼製カバーの下部開口にスカート状の防音シートを垂らす方法（例えば、特許文献１を参照）をはじめとして、様々な音漏れ対策が提案されている（例えば、特許文献２〜１０を参照）。しかしながら、このような音漏れ対策は、施工の容易性や騒音低減効果の点で十分とはいえなかった。
【先行技術文献】
【特許文献】
【０００４】
【特許文献１】実開平３−４０３３１号公報
【特許文献２】特開２０１３−８７５２５号公報
【特許文献３】特開２０１０−１８０６８９号公報
【特許文献４】特開２００２−５４１３８号公報
【特許文献５】実用新案登録第３０２８５３４号公報
【特許文献６】特開昭５８−１０６０１６号公報
【特許文献７】特開平１０−２９８９８７号公報
【特許文献８】特開平７−２３８５４２号公報
【特許文献９】特開平７−２３８５４５号公報
【特許文献１０】特開平４−７０４１６号公報
【発明の概要】
【発明が解決しようとする課題】
【０００５】
このため、簡易に構築できるとともに、大きな騒音低減効果を見込める技術の開発が求められていた。
【０００６】
本発明は、上記に鑑みてなされたものであって、簡易に構築できるとともに、大きな騒音低減効果を見込める杭打ち機用防音装置を提供することを目的とする。
【課題を解決するための手段】
【０００７】
上記した課題を解決し、目的を達成するために、本発明に係る杭打ち機用防音装置は、杭の打設時の杭打ち機と前記杭の接触による騒音を防止するための杭打ち機用防音装置であって、前記杭打ち機と前記杭が接触する部分を筒状に覆う筒状カバーと、前記筒状カバーと前記杭との間の隙間を塞ぐように前記筒状カバーの内部に設けられ、前記筒状カバーの下部開口からの音漏れを防止する吸音材からなる傘状の下面カバーとを備えることを特徴とする。
【０００８】
また、本発明に係る他の杭打ち機用防音装置は、上述した発明において、前記下面カバーは扇状のカバー要素を組み合わせて構成されることを特徴とする。
【０００９】
また、本発明に係る他の杭打ち機用防音装置は、上述した発明において、前記下面カバーの中央部と外縁部に放射線状に延びる切れ目が形成されており、前記下面カバーの中央部の切れ目を起伏して形成される舌状片は前記杭の外面に当接配置され、前記下面カバーの外縁部の切れ目を起伏して形成される舌状片は前記筒状カバーの内面に当接配置されることを特徴とする。
【００１０】
また、本発明に係る他の杭打ち機用防音装置は、上述した発明において、前記舌状片は、可撓性を有することを特徴とする。
【００１１】
また、本発明に係る他の杭打ち機用防音装置は、上述した発明において、前記下面カバーは、段ボールからなることを特徴とする。
【発明の効果】
【００１２】
本発明に係る杭打ち機用防音装置によれば、杭の打設時の杭打ち機と前記杭の接触による騒音を防止するための杭打ち機用防音装置であって、前記杭打ち機と前記杭が接触する部分を筒状に覆う筒状カバーと、前記筒状カバーと前記杭との間の隙間を塞ぐように前記筒状カバーの内部に設けられ、前記筒状カバーの下部開口からの音漏れを防止する吸音材からなる傘状の下面カバーとを備えるので、簡易に構築できるとともに、大きな騒音低減効果を見込める杭打ち機用防音装置を提供することができるという効果を奏する。
【００１３】
また、本発明に係る他の杭打ち機用防音装置によれば、前記下面カバーは扇状のカバー要素を組み合わせて構成されるので、カバー要素どうしを連結することで、傘状の下面カバーを簡易に組み立てることができるという効果を奏する。
【００１４】
また、本発明に係る他の杭打ち機用防音装置によれば、前記下面カバーの中央部と外縁部に放射線状に延びる切れ目が形成されており、前記下面カバーの中央部の切れ目を起伏して形成される舌状片は前記杭の外面に当接配置され、前記下面カバーの外縁部の切れ目を起伏して形成される舌状片は前記筒状カバーの内面に当接配置されるので、筒状カバーと杭との間の隙間をより確実になくし、この結果、隙間からの音漏れを防止することができるという効果を奏する。
【００１５】
また、本発明に係る他の杭打ち機用防音装置によれば、前記舌状片は、可撓性を有するので、筒状カバーの内面および杭の外面に当接した状態で形状を柔軟に変えることができる。当接した状態を維持する結果、隙間が生じにくくなり、隙間からの音漏れを効果的に防止することができるという効果を奏する。
【００１６】
また、本発明に係る他の杭打ち機用防音装置によれば、前記下面カバーは、段ボールからなるので、使用後はリサイクル可能であることから、現場のリサイクル率向上にも寄与することができるという効果を奏する。
【図面の簡単な説明】
【００１７】
【図１】図１は、本発明に係る杭打ち機用防音装置の実施の形態を示す鉛直断面図である。
【図２】図２は、本発明の下面カバーの概略展開平面図である。
【図３】図３は、本発明の下面カバーを構成する２つのカバー要素の概略展開平面図である。
【図４】図４は、従来の杭打ち機用防音装置の一例を示す概略外観図である。
【発明を実施するための形態】
【００１８】
以下に、本発明に係る杭打ち機用防音装置の実施の形態を図面に基づいて詳細に説明する。なお、この実施の形態によりこの発明が限定されるものではない。
【００１９】
図１に示すように、本発明に係る杭打ち機用防音装置１０は、杭打設時の杭打ち機１４と杭１２の接触による騒音を防止するための装置であって、杭打ち機１４と杭１２が接触する部分Ａを円筒状に覆う鋼製の筒状カバー１６を備える。筒状カバー１６の上部開口は鋼製の上面カバー１８で塞がれている。一方、筒状カバー１６の内部下方には、シャンプーハット状（傘状）の下面カバー２０が設けられている。
【００２０】
杭打ち機１４は、下端に大径円盤状のハンマー部を有する円柱状のものであり、図外の駆動源により駆動して杭１２の上端を打撃する。杭１２は、円形断面の鋼管杭からなり、その下部は地上または地中に配置されている。
【００２１】
下面カバー２０は、筒状カバー１６と杭１２との間の隙間２２を塞ぐように設けられる。この下面カバー２０は、筒状カバー１６の下部開口２４からの音漏れを防止する吸音材としての段ボールからなる。段ボールは、波状に加工した紙を表裏の紙で挟んで接着して強度を持たせた構造であり、加工性に優れた安価な材料である。段ボールの波状の大きさ、形状、組合せ、積層枚数、方向等を適宜調整することで、遮音、吸音作用等の騒音低減性能の調整が可能である。
【００２２】
図２は、下面カバー２０の展開平面図である。この図に示すように、下面カバー２０は円盤形状を呈しており、その中央部２０ａと外縁部２０ｂには放射線状に延びる切れ目２６、２８がそれぞれ形成されている。下面カバー２０の中心からの切れ目２６の半径方向長さは杭１２の直径の半分に設定されており、切れ目２６を折れ線３４から起伏して中央に形成される円形孔には、図示しない杭１２を配置できるようになっている。下面カバー２０を杭１２に装着する場合の手順については後述する。
【００２３】
この下面カバー２０は、図３（１）および（２）に示すような２つの扇状のカバー要素２０Ａ、２０Ｂを組み合わせて構成される。カバー要素２０Ａ、２０Ｂで下面カバー２０を形成する場合には、まず、各円の中心を合わせて周方向両端の領域が互いに重なるようにカバー要素２０Ａ、２０Ｂを配置する。そして、図２に示すように、重なる領域に設けた２つの孔４０どうしを一致させ、これら孔４０に連結具３８を挿入して係合連結する。このように２つのカバー要素２０Ａ、２０Ｂを連結することで、略円盤状の下面カバー２０を形成することができる。
【００２４】
下面カバー２０の中央部２０ａの切れ目２６を折れ線３４から下方に折り曲げて形成される舌状片３０は、図１に示すように杭１２の外面１２ａに沿って当接配置される。舌状片３０の端部は下方に向いて配置される。外面１２ａに当接配置した舌状片３０は、その外側にリング状に配置される固定バンド３６により杭１２の外面１２ａに密着して固定され、この部分に隙間は生じない。一方、下面カバー２０の外縁部２０ｂの切れ目２８を折れ線４２から下方に折り曲げて形成される舌状片３２は、筒状カバー１６の内面１６ａに可撓自在に当接配置される。これにより、筒状カバー１６と杭１２との間の隙間２２をより確実になくし、この結果、隙間２２からの音漏れを防止することができる。
【００２５】
ここで、舌状片３２は、段ボールからなり可撓性を有するので、筒状カバー１６の内面１６ａに沿って当接した状態でその形状を柔軟に変えることができる。そして、当接した状態を維持する結果、隙間２２が生じにくくなり、隙間２２からの音漏れを効果的に防止することができる。これにより、比較的に大きな騒音低減効果を発揮することができる。
【００２６】
切れ目２６、２８の長さおよび数、舌状片３０、３２の大きさ等については、杭１２、筒状カバー１６の形状や想定される騒音特性等に応じて適宜設定することが好ましい。
【００２７】
なお、下面カバー２０を杭１２に装着する場合の手順としては、例えば、杭１２に被せた筒状カバー１６の下部開口２４からカバー要素２０Ａ、２０Ｂを挿入して杭１２、筒状カバー１６に当接させつつ２つの連結具３８でカバー要素２０Ａ、２０Ｂを連結し、杭１２の外面１２ａに当接している舌状片３０に固定バンド３６を巻いて固定するという方法がある。
【００２８】
上記構成の動作および作用について説明する。
杭打設時に杭打ち機１４と杭１２との接触により発生する騒音は、鋼製の筒状カバー１６および上面カバー１８と、段ボールからなる下面カバー２０とにより低減される。ここで、筒状カバー１６の下部開口２４に通じる隙間２２からの音漏れは、舌状片３０、３２を有するシャンプーハット状の下面カバー２０により効果的に防止される。これにより、杭打設時の騒音を低減することができる。
【００２９】
また、本実施の形態によれば、鋼製の筒状カバー１６および上面カバー１８と、段ボールからなる下面カバー２０とからなるシンプルな構成のため、簡易に構築できる。また、本実施の形態によれば、大きな騒音低減効果を見込める。例えば、段ボールの透過損失性能（遮音性能）は、鋼管杭の高音域の騒音（１，０００〜２，０００Ｈｚ）に対し、１０ｄＢ以上の低減効果があることを本発明者は透過損失試験で確認している。したがって、段ボールからなる下面カバー２０の舌状片３０が杭１２に隙間なく固定され、舌状片３２が筒状カバー１６の内面１６ａに当接した状態を維持することで、隙間２２が生じにくくなり、隙間２２からの音漏れを効果的に防止することができる。
【００３０】
また、下面カバー２０は段ボールからなるので、使用後はリサイクル可能であることから、現場のリサイクル率向上にも寄与することができる。
【００３１】
上記の実施の形態において、下面カバー２０は、杭１２に対するスムーズな設置取付や運搬時の効率化を図るため、扇状の２つのカバー要素２０Ａ、２０Ｂを組み合わせて構成される場合を例にとり説明したが、本発明はこれに限るものではなく、平面視で周方向に３個以上に分割したカバー要素を用いて構成してもよい。
【００３２】
以上説明したように、本発明に係る杭打ち機用防音装置によれば、杭の打設時の杭打ち機と前記杭の接触による騒音を防止するための杭打ち機用防音装置であって、前記杭打ち機と前記杭が接触する部分を筒状に覆う筒状カバーと、前記筒状カバーと前記杭との間の隙間を塞ぐように前記筒状カバーの内部に設けられ、前記筒状カバーの下部開口からの音漏れを防止する吸音材からなる傘状の下面カバーとを備えるので、簡易に構築できるとともに、大きな騒音低減効果を見込める杭打ち機用防音装置を提供することができる。
【００３３】
また、本発明に係る他の杭打ち機用防音装置によれば、前記下面カバーは扇状のカバー要素を組み合わせて構成されるので、カバー要素どうしを連結することで、傘状の下面カバーを簡易に組み立てることができる。
【００３４】
また、本発明に係る他の杭打ち機用防音装置によれば、前記下面カバーの中央部と外縁部に放射線状に延びる切れ目が形成されており、前記下面カバーの中央部の切れ目を起伏して形成される舌状片は前記杭の外面に当接配置され、前記下面カバーの外縁部の切れ目を起伏して形成される舌状片は前記筒状カバーの内面に当接配置されるので、筒状カバーと杭との間の隙間をより確実になくし、この結果、隙間からの音漏れを防止することができる。
【００３５】
また、本発明に係る他の杭打ち機用防音装置によれば、前記舌状片は、可撓性を有するので、筒状カバーの内面および杭の外面に当接した状態で形状を柔軟に変えることができる。当接した状態を維持する結果、隙間が生じにくくなり、隙間からの音漏れを効果的に防止することができる。
【００３６】
また、本発明に係る他の杭打ち機用防音装置によれば、前記下面カバーは、段ボールからなるので、使用後はリサイクル可能であることから、現場のリサイクル率向上にも寄与することができる。
【産業上の利用可能性】
【００３７】
以上のように、本発明に係る杭打ち機用防音装置は、鋼管杭などの杭を杭打ち機で打設する際に発生する騒音を防止するのに有用であり、特に、簡易に構築できるとともに、大きな騒音低減効果を見込める杭打ち機用防音装置を提供するのに適している。
【符号の説明】
【００３８】
１０  杭打ち機用防音装置
１２  杭
１２ａ  外面
１４  杭打ち機
１６  筒状カバー
１６ａ  内面
１８  上面カバー
２０  下面カバー
２０Ａ，２０Ｂ  カバー要素
２０ａ  中央部
２０ｂ  外縁部
２２  隙間
２４  下部開口
２６，２８  切れ目
３０，３２  舌状片
３４，４２  折れ線
３６  固定バンド
３８  連結具
４０  孔
Ａ  接触する部分
【図１】
0006709072.tif 000002
【図２】
0006709072.tif 000003
【図３】
0006709072.tif 000004
【図４】
0006709072.tif 000005